(57)【要約】本発明の照明装置１２は、複数の光源１７と、前記光源１７に駆動電力を供給する電力供給基板３０と、前記電力供給基板３０に配され当該電力供給基板３０と前記光源１７との電気的接続を担う複数のコネクタ４０と、を備え、前記複数のコネクタ４０は、隣り合う当該コネクタ４０が互い違いの位置に配列されてなることを特徴とする。これにより、隣り合うコネクタ同士の間隔を大きくすることができ、コネクタの取付作業を容易にすることができるとともに、コネクタ間の放電を抑止することが可能となる。
2009093362.tif 000002
【特許請求の範囲】
【請求項１】
複数の光源と、前記光源に駆動電力を供給する電力供給基板と、前記電力供給基板と前記光源との電気的接続状態を形成するために前記電力供給基板に実装された複数のコネクタと、を備え、
前記コネクタは、直線をなす配列線上にある任意のコネクタに対して、この任意のコネクタと隣り合う２つのコネクタのうち少なくとも１つのコネクタが、前記配列線上からずれて配されてなることを特徴とする照明装置。
【請求項２】
前記コネクタは、任意のコネクタと、この任意のコネクタと隣り合う２つのコネクタとが、互い違いの位置に配されてなることを特徴とする請求の範囲第１項に記載の照明装置。
【請求項３】
前記コネクタは、それぞれが交互に配されてなることを特徴とする請求の範囲第１項又は請求の範囲第２項に記載の照明装置。
【請求項４】
前記コネクタは、前記電力供給基板に取り付けられた第１コネクタと、前記第１コネクタに対して前記電力供給基板の基板面と交わる方向に着脱自在にされてなる第２コネクタと、を有することを特徴とする請求の範囲第１項から請求の範囲第３項のいずれか１項に記載の照明装置。
【請求項５】
前記第２コネクタは、その縁部に、弾性変形を伴って前記第１コネクタとの係止を可能とする係止部を有することを特徴とする請求の範囲第４項に記載の照明装置。
【請求項６】
前記コネクタから延出してなり、前記光源との電気的接続を担うハーネスを備え、
前記ハーネスは、当該ハーネス自身が環状をなす形で丸められた環状部を有し、
前記環状部の大きさが変化可能とされていることを特徴とする請求の範囲第１項から請求の範囲第５項のいずれか１項に記載の照明装置。
【請求項７】
前記電力供給基板は、第１基板と、第２基板とからなるとともに、前記コネクタが取り付けられ前記複数の光源間の電流バランスを調整する調整回路と、前記調整回路を通じて前記光源に駆動電力を供給する駆動回路とを含み、
前記調整回路は、前記第１基板と前記第２基板とに少なくとも二分して形成され、
前記駆動回路は、前記調整回路とともに前記第１基板に形成されてなることを特徴とする請求の範囲第１項から請求の範囲第６項のいずれか１項に記載の照明装置。
【請求項８】
前記複数の光源は、隣り合う当該光源が１０ｍｍ〜２４ｍｍの間隔をおいて配列されていることを特徴とする請求の範囲第１項から請求の範囲第７項のいずれか１項に記載の照明装置。
【請求項９】
前記複数の光源は、隣り合う当該光源が１０ｍｍ〜１７ｍｍの間隔をおいて配列されていることを特徴とする請求の範囲第１項から請求の範囲第７項のいずれか１項に記載の照明装置。
【請求項１０】
請求の範囲第１項から請求の範囲第９項のいずれか１項に記載の照明装置と、
前記照明装置からの光を利用して表示を行う表示パネルと、を備えることを特徴とする表示装置。
【請求項１１】
前記表示パネルが液晶を用いた液晶パネルであることを特徴とする請求の範囲第１０項に記載の表示装置。
【請求項１２】
請求の範囲第１０項又は請求の範囲第１１項に記載の表示装置を備えることを特徴とするテレビ受信装置。
【発明の詳細な説明】
【技術分野】
【０００１】
本発明は、照明装置、表示装置、及びテレビ受信装置に関する。
【背景技術】
【０００２】
例えば、液晶テレビなどの液晶表示装置に用いる液晶パネルは、自発光しないため、別途に照明装置としてバックライト装置を必要とする。このバックライト装置は、液晶パネルの裏側（表示面とは反対側）に設置されるようになっており、金属製や樹脂製で液晶パネル側の面が開口したシャーシと、シャーシ内に収容される多数本の光源たる発光ランプ（例えば線状光源たる冷陰極管）と、発光ランプに駆動電力を供給するインバータとを備える。また、線状光源たる冷陰極管を用いる場合には、一般にその光出射側には、線状の光を面状光に変化させる光学部材が配される（特許文献１参照）。
【特許文献１】特開２００６−２５１５８７公報
【０００３】
（発明が解決しようとする課題）
近年、液晶表示装置が薄型化するのに伴い、バックライト装置の構成にも改良が進んでおり、バックライト装置を薄型化するためには、発光ランプとその周囲に配される部材との間の距離を小さくする必要がある。例えば、発光ランプとして冷陰極管を用いる場合には、その光出射側に配される光学部材との間の距離が小さくなることとなる。ここで、両者の間の距離を小さくすると、冷陰極管から出射される線状の光が光学部材により十分に面状光に変換されず、冷陰極管が配されている部位と配されていない部位との明暗の差が当該液晶表示装置において冷陰極管の配置イメージとして視認されてしまい、表示品質を劣化させる場合がある。【０００４】
そこで、薄型化されたバックライト装置においては、冷陰極管の配置イメージの発生を抑止するため、冷陰極管の設置本数を増加して、これらを密に配列することにより明暗が生じる部位をなくすことが望ましい。このように、冷陰極管を密に配列した場合には、当該冷陰極管とインバータとの電気的接続を担うコネクタも密に配列することとなる。しかしながら、コネクタ同士の距離が近すぎると、当該コネクタの接続作業が困難となるとともに、コネクタ間で放電が生じてしまうおそれがある。
【発明の開示】
【０００５】
本発明は、上記のような事情に基づいてなされたものであって、コネクタ同士の距離を十分に確保することで高い作業性及び安全性を確保した照明装置を提供することを目的としている。また、本発明は、そのような照明装置を備えた表示装置、さらに、そのような表示装置を備えたテレビ受信装置を提供することを目的としている。
【０００６】
（課題を解決するための手段）
上記課題を解決するために、本発明の照明装置は、複数の光源と、前記光源に駆動電力を供給する電力供給基板と、前記電力供給基板と前記光源との電気的接続状態を形成するために前記電力供給基板に実装された複数のコネクタと、を備え、前記コネクタは、直線をなす配列線上にある任意のコネクタに対して、この任意のコネクタと隣り合う２つのコネクタのうち少なくとも１つのコネクタが、前記配列線上からずれて配されてなることを特徴とする。
【０００７】
このように、直線をなす配列線上にある任意のコネクタと隣り合う２つのコネクタのうち少なくとも一方を前記配列線からずれた位置に配列することにより、任意のコネクタと、これと隣り合う２つのコネクタとが同一直線上に位置することがなくなり、これらコネクタを一列に配した場合に比して、当該隣り合うコネクタ同士の間隔を大きくすることができ、作業性及び安全性を確保することが可能となる。
コネクタは、電力供給基板と光源とを電気的に接続する機能を担うため、光源の単位数毎に一対一のコネクタが必要で、光源の配置に対応してコネクタの配置も決定される。ここで、薄型化された照明装置においては、照明光において光源の配置イメージの発生を抑止するために、光源を多数配置することが望ましく、その場合、光源同士の間隔が狭いものとなる。これに伴い、光源に対応して配されるコネクタ同士も、電力供給基板上の配置可能な範囲が限られているため、互いの間隔が狭いものとなってしまう。その結果、コネクタを電力供給基板に取り付ける作業において、隣り合うコネクタ同士が干渉することとなり当該作業が困難となる。さらに、隣り合うコネクタ同士の距離が小さい場合には、コネクタ間で放電が生じてしまうおそれもある。
しかしながら、本発明の照明装置によれば、任意のコネクタと、これと隣り合う２つのコネクタとを同一直線上に配していないため、例えば上記のような薄型の照明装置においても、これらコネクタ同士の間隔を比較的大きいものとすることができ、当該コネクタの取付作業を容易にすることができるとともに、コネクタ間の放電を抑止することが可能となる。
【０００８】
なお、コネクタの配置関係としては、任意のコネクタと、この任意のコネクタと隣り合う２つのコネクタとが、互い違いの位置に配されてなることが好ましい。さらには、それぞれが交互に配されてなることが好ましい。このような構成により、一層コネクタ同士の間隔を限られたスペース内で大きく確保することが可能となる。
【０００９】
また、本発明の照明装置において、前記コネクタは、前記電力供給基板に取り付けられた第１コネクタと、前記第１コネクタに対して前記電力供給基板の基板面と交わる方向に着脱自在にされてなる第２コネクタと、を有するものとすることができる。
【００１０】
このような構成のコネクタによれば、第１コネクタと第２コネクタとを取り付ける際には、電力供給基板に取り付けられた第１コネクタに対して、第２コネクタを把持して当該電力供給基板の基板面と交わる方向から近づけていくこととなる。特に手作業で当該取り付け作業を行う場合には、第２コネクタの縁部を指で把持することとなる。この場合、隣り合うコネクタの距離が小さいと、第２コネクタを近づけていく際に、先に取り付けた隣のコネクタと、第２コネクタ又はそれを把持する指とが干渉して取付作業を阻害することとなる。また、第１コネクタから第２コネクタを外す際にも、第２コネクタの縁部を把持する必要があり、隣のコネクタが干渉することとなる。
しかしながら、本発明の照明装置によれば、コネクタ同士の距離を相対的に大きくすることが可能なため、上記の第１コネクタと第２コネクタとの脱着作業を行う場合に、隣のコネクタが干渉することなく、容易に作業を行うことが可能となる。
【００１１】
また、前記第２コネクタが、その縁部に、弾性変形を伴って前記第１コネクタとの係止を可能とする係止部を有するものとすることができる。
このような構成によれば、当該第２コネクタを第１コネクタへ取り付ける際には、係止部の備わる第２コネクタの縁部を把持することで、係止部に応力を加えて弾性変形を生じさせる必要がある。そのため、隣り合うコネクタ同士の間隔が小さい場合には、上記取付作業が困難となるため、本発明のコネクタの配置構成がより一層効果を発揮することとなる。
【００１２】
また、前記コネクタから延出してなり、前記光源との電気的接続を担うハーネスを備え、前記ハーネスは、当該ハーネス自身が環状をなす形で丸められた環状部を有し、前記環状部の大きさが変化可能とされているものとすることができる。
【００１３】
このような構成によれば、光源とコネクタとの間の距離が一定とされない場合にも、環状部の大きさを変化させることによりハーネスの長さを調節して対応することができる。
隣り合うコネクタを電力供給基板上に互い違いの位置に配置することにより、光源とコネクタとの間の距離が異なる部位が存在することとなる。この場合に、仮に光源とコネクタとの距離に合わせたハーネスをそれぞれ準備すると、ハーネスに係るコストが増大する。また、仮に光源とコネクタとの最大距離に合わせたハーネスを用いてこれらを接続すると、光源とコネクタとの間の距離が小さい部位ではハーネスに撓みが生じ、例えば組立作業中に当該ハーネスの撓んだ部位が他部材で挟まれることで断線するおそれがある。
しかしながら、本発明によれば、環状部の大きさを変化させることによりハーネスの長さを調節することができる構成とされているため、光源とコネクタとの間の距離が異なる部位が存在する場合にも、その異なる距離ごとにハーネスを準備する必要がなく、一種類のハーネスの長さを調節することでそれぞれの距離に対応することができる。これにより、ハーネスのコストを削減することができ、ひいては当該照明装置のコスト削減に寄与することとなる。
【００１４】
また、前記電力供給基板は、第１基板と、第２基板とからなるとともに、前記コネクタが取り付けられ前記複数の光源間の電流バランスを調整する調整回路と、前記調整回路を通じて前記光源に駆動電力を供給する駆動回路とを含み、前記調整回路は、前記第１基板と前記第２基板とに少なくとも二分して形成され、前記駆動回路は、前記調整回路とともに前記第１基板に形成されてなるものとすることができる。
【００１５】
調整回路は、複数の光源間の電流バランスを調整する機能を有するものであり、光源の異なる配置パターン（例えば配置数）に対しては、それぞれに対応したパターンに形成された調整回路が必要とされる。ここで、本発明の構成によれば調整回路を第１基板と第２基板とに少なくとも二分して形成してなるため、当該照明装置の大きさに応じて光源の配置数が変化する場合には、第２基板のみを調整回路のパターンが異なる別の基板に取り替えることで対応することができる。すなわち、調整回路及び駆動回路が形成された第１基板は、当該照明装置の大きさに拘らず使い回すことができ、作業性が向上するとともにコスト削減に寄与することが可能となる。
【００１６】
また、本発明に係る構成は、特に光源同士の間隔が小さい場合にその効果を発揮するものである。ゆえに、隣り合う光源が１０ｍｍ〜２４ｍｍと狭い間隔で配置されている当該照明装置に本発明の構成を選択することが好ましい。さらに、隣り合う光源が１０ｍｍ〜１７ｍｍとより狭い間隔で配置されている当該照明装置に本発明の構成を選択することがより好ましい。特に薄型化された照明装置においては、照明光における光源の配置イメージの発生を抑止するために光源を多数配置することが望ましく、その結果隣り合う光源の間の距離が狭いものとなるため、本発明の構成が有効である。
【００１７】
次に、上記課題を解決するために、本発明の表示装置は、上記記載の照明装置と、前記照明装置からの光を利用して表示を行う表示パネルと、を備えることを特徴とする。
このような表示装置によると、高い組立作業効率及び安全性を確保した照明装置を用いてなるため、当該表示装置においてもコスト削減と安全性の確保とを両立することが可能となる。
【００１８】
前記表示パネルとしては液晶パネルを例示することができる。このような表示装置は液晶表示装置として、種々の用途、例えばテレビやパソコンのデスクトップ画面等に適用でき、特に大型画面用として好適である。
【００１９】
また、本発明のテレビ受信装置は、上記表示装置を備えることを特徴とする。
このようなテレビ受信装置によると、コスト削減と高い安全性が実現された表示装置を用いてなるため、低価格で安全性の高い装置を提供することが可能となる。
【００２０】
（発明の効果）
本発明の照明装置によると、特に当該照明装置が薄型化された場合においてもコネクタ同士の距離を十分に確保することで高い作業性及び安全性を確保することが可能となる。また、本発明の表示装置によると、当該表示装置が特に薄型化された場合においてもコスト削減と安全性の確保とを両立することが可能となる。また、本発明のテレビ受信装置によると、当該テレビ受信装置が特に薄型化された場合においても低価格で安全性の高い装置を提供することが可能となる。
【図面の簡単な説明】
【００２１】
【図１】本発明の実施形態１に係るテレビ受信装置の概略構成を示す分解斜視図。
【図２】図１のテレビ受信装置が備える液晶表示装置の概略構成を示す分解斜視図。
【図３】図２の液晶表示装置の短辺方向に沿った断面構成を示す断面図。
【図４】図２の液晶表示装置の長辺方向に沿った断面構成を示す断面図。
【図５】図２の液晶表示装置に備わるインバータ基板の構成を示す平面図。
【図６】図５のインバータ基板に設けられた調整基板の構成を示す平面図。
【図７】図６の調整基板に配置されたコネクタを構成する第１コネクタの上面図。
【図８】図７の第１コネクタの側面図。
【図９】コネクタを構成する第２コネクタの下面図。
【図１０】図９の第２コネクタの側面図。
【図１１】コネクタから延出されるハーネスに形成された環状部の機能を説明する模式図。
【図１２】ハーネスに形成された環状部の機能を説明する模式図。
【図１３】本発明の実施形態２に係るバックライト装置に備わるインバータ基板の構成を示す平面図。
【図１４】図１３のインバータ基板のうち第１基板の構成を示す平面図。
【図１５】図１３のインバータ基板のうち第２基板の構成を示す平面図。
【図１６】図１５の第２基板と取替え可能な基板の構成を示す平面図。
【図１７】インバータ基板を構成する第１基板及び第２基板の配置態様の一変形例を示す平面図。
【図１８】コネクタの配置態様の一変形例を示す平面図。
【図１９】コネクタの配置態様の一変形例を示す平面図。
【図２０】コネクタの配置態様の一変形例を示す平面図。
【図２１】コネクタの配置態様の一変形例を示す平面図。
【符号の説明】
【００２２】
１０…液晶表示装置（表示装置）、１１…液晶パネル（表示パネル）、１２…バックライト装置（照明装置）、１７…冷陰極管（光源）、３０…インバータ基板（電力供給基板）、４０…コネクタ、４１…第１コネクタ、４２…第２コネクタ、４４…係止部、５０…ハーネス、５１…環状部、６１…第１基板、６２…第２基板、６３…駆動回路、６４…調整回路、ＴＶ…テレビ受信装置
【発明を実施するための最良の形態】
【００２３】
＜実施形態１＞
本発明の実施形態１を図１ないし図１２によって説明する。
まず、液晶表示装置１０を備えたテレビ受信装置ＴＶの構成について説明する。
図１は本実施形態のテレビ受信装置の概略構成を示す分解斜視図、図２は図１のテレビ受信装置が備える液晶表示装置の概略構成を示す分解斜視図、図３は図２の液晶表示装置の短辺方向に沿った断面構成を示す断面図、図４は図２の液晶表示装置の長辺方向に沿った断面構成を示す断面図である。【００２４】
本実施形態に係るテレビ受信装置ＴＶは、図１に示すように、液晶表示装置１０と、当該液晶表示装置１０を挟むようにして収容する表裏両キャビネットＣａ，Ｃｂと、電源Ｐと、チューナーＴと、スタンドＳとを備えて構成される。液晶表示装置（表示装置）１０は、全体として横長の方形を成し、縦置き状態で収容されている。この液晶表示装置１０は、図２に示すように、表示パネルである液晶パネル１１と、外部光源であるバックライト装置（照明装置）１２とを備え、これらが枠状のベゼル１３などにより一体的に保持されるようになっている。【００２５】
次に、液晶表示装置１０を構成する液晶パネル１１及びバックライト装置１２について説明する（図２ないし図４参照）。
液晶パネル（表示パネル）１１は、一対のガラス基板が所定のギャップを隔てた状態で貼り合わせられるとともに、両ガラス基板間に液晶が封入された構成とされる。一方のガラス基板には、互いに直交するソース配線とゲート配線とに接続されたスイッチング素子（例えばＴＦＴ）と、そのスイッチング素子に接続された画素電極、さらには配向膜等が設けられ、他方のガラス基板には、Ｒ（赤色），Ｇ（緑色），Ｂ（青色）等の各着色部が所定配列で配置されたカラーフィルタや対向電極、さらには配向膜等が設けられている。なお、両基板の外側には偏光板１１ａ，１１ｂが取り付けられている（図３及び図４参照）。【００２６】
バックライト装置１２は、図２に示すように、光出射面側（液晶パネル１１側）に開口部１４ｂを有する略箱型をなすシャーシ１４と、シャーシ１４の開口部１４ｂを覆うようにして取り付けられる拡散板１５ａと、拡散板１５ａと液晶パネル１１との間に配される複数の光学シート１５ｂと、シャーシ１４の長辺に沿って配され拡散板１５ａの長辺縁部をシャーシ１４との間で挟んで保持するフレーム１６とを備える。さらに、シャーシ１４内には、冷陰極管（光源）１７と、冷陰極管１７をシャーシ１４に取り付けるためのランプクリップ１８と、冷陰極管１７の各端部において電気的接続の中継を担う中継コネクタ１９と、冷陰極管１７群の端部及び中継コネクタ１９群を一括して覆うホルダ２０とを備える。なお、当該バックライト装置１２においては、冷陰極管１７よりも拡散板１５ａ側が光出射側となっている。【００２７】
シャーシ１４は、金属製の板状部材が板金成形されたものとされ、矩形平板状の底部１４ａと、その各辺から立ち上がり略Ｕ字状に折り返された外縁部２１（短辺方向の短辺外縁部２１ａ及び長辺方向の長辺外縁部２１ｂ）とからなる深さ８．０ｍｍの略箱型をなしている。シャーシ１４の底部１４ａには、その長辺方向の両端部に、中継コネクタ１９を取り付けるための取付孔２２が複数穿設されている。さらに、シャーシ１４の長辺外縁部２１ｂの上面には、図３に示すように、固定孔１４ｃが穿設されており、例えばネジ等によりベゼル１３、フレーム１６、及びシャーシ１４等を一体化することが可能とされている。【００２８】
シャーシ１４の底部１４ａの内面側（冷陰極管１７と対向する面側）には反射シート２３が配設されている。反射シート２３は、合成樹脂製とされ、その表面が反射性に優れた白色とされており、シャーシ１４の底部１４ａの内面に沿ってそのほぼ全域を覆うように敷かれている。当該反射シート２３の長辺縁部は、図３に示すように、シャーシ１４の長辺外縁部２１ｂを覆うように立ち上がり、シャーシ１４と拡散板１５ａとに挟まれた状態とされている。この反射シート２３により、冷陰極管１７から出射された光を拡散板１５ａ側に反射させることが可能となっている。一方、シャーシ１４の底部１４ａの外面側（冷陰極管１７とは反対側）にはインバータ基板３０が形成され、冷陰極管１７への電力供給を行っている。【００２９】
一方、シャーシ１４の開口部１４ｂ側には拡散板１５ａ及び光学シート１５ｂが配設されている。拡散板１５ａは、合成樹脂製の板状部材に光散乱粒子が分散配合されてなり、管状光源たる冷陰極管１７から出射される線状の光を拡散する機能を有する。拡散板１５ａの短辺縁部は上記したようにホルダ２０の第１面２０ａ上に載置されており、上下方向の拘束力を受けないものとされている。一方、拡散板１５ａの長辺縁部は、図３に示すように、シャーシ１４（反射シート２３）とフレーム１６とに挟まれることで固定されている。【００３０】
拡散板１５ａ上に配される光学シート１５ｂは、拡散板１５ａ側から順に、拡散シート、レンズシート、反射型偏光板が積層されたものであり、冷陰極管１７から出射され、拡散板１５ａを通過した光を面状の光とする機能を有する。当該光学シート１５ｂの上面側には液晶パネル１１が設置され、当該光学シート１５ｂは拡散板１５ａと液晶パネル１１とにより挟持されている。【００３１】
冷陰極管１７は、細長い管状をなしており、その長さ方向（軸方向）をシャーシ１４の長辺方向と一致させた状態で、かつ多数本（本実施形態では２０本）が互いに平行に並んだ状態でシャーシ１４内に収容されている（図２参照）。これら冷陰極管１７の各端部には駆動電力を受容する端子（図示せず）が備えられ、当該端部が中継コネクタ１９に嵌め込まれ、これら中継コネクタ１９を被覆するようにホルダ２０が取り付けられている。【００３２】
なお、本実施形態で用いた冷陰極管１７は管径が４．０ｍｍ、冷陰極管１７と反射シート２３との間の距離が０．８ｍｍ、隣り合う冷陰極管１７間の距離が１６．４ｍｍ、冷陰極管１７と拡散板１５ａとの距離が２．７ｍｍとされている。このようにバックライト装置１２では各構成部材間で薄型化が図られており、特に冷陰極管１７と拡散板１５ａとの距離、冷陰極管１７と反射シート２３との距離を小さくしている。そして、このようなバックライト装置１２の薄型化により、液晶表示装置１０の厚さ（つまり液晶パネル１１の表面からバックライト装置１２の裏面に至る厚さ）が１６ｍｍ、テレビ受信装置ＴＶの厚さ（つまり表側キャビネットＣａの表面から裏側キャビネットＣｂの裏面に至る厚さ）が３４ｍｍとされ、薄型のテレビ受信装置が実現されている。【００３３】
冷陰極管１７の端部を覆うホルダ２０は、白色を呈する合成樹脂製とされ、シャーシ１４の短辺方向に沿って延びる細長い略箱型をなしている。当該ホルダ２０は、図４に示すように、その表面側に拡散板１５ａないし液晶パネル１１を段違いに載置可能な階段状面を有するとともに、シャーシ１４の短辺外縁部２１ａと一部重畳した状態で配されており、短辺外縁部２１ａとともに当該バックライト装置１２の側壁を形成している。ホルダ２０のうちシャーシ１４の折返し外縁部２１ａと対向する面からは挿入ピン２４が突出しており、当該挿入ピン２４がシャーシ１４の短辺外縁部２１ａの上面に形成された挿入孔２５に挿入されることで、当該ホルダ２０はシャーシ１４に取り付けられるものとされている。
ホルダ２０の階段状面はシャーシ１４の底部１４ａと平行な３面からなり、最も低い位置にある第１面２０ａには拡散板１５ａの短辺縁部が載置されている。さらに、第１面２０ａからは、シャーシ１４の底部１４ａに向けて傾斜する傾斜カバー２６が延出している。ホルダ２０の階段状面の第２面２０ｂには、液晶パネル１１の短辺縁部が載置されている。ホルダ２０の階段状面のうち最も高い位置にある第３面２０ｃは、シャーシ１４の短辺外縁部２１ａと重畳する位置に配され、ベゼル１３と接触するものとされている。【００３４】
次に、シャーシ１４の裏面側に配されたインバータ基板（電力供給基板）３０について、図５及び図６を用いて説明する。
図５はインバータ基板の構成を示す平面図、図６は図５のインバータ基板に設けられた調整基板の構成を示す平面図である。
インバータ基板３０は、上述の通り、シャーシ１４の底部１４ａの裏面側（冷陰極管１７が配される側とは反対側）に取り付けられてなり、冷陰極管１７に駆動電力を供給しその点灯挙動を制御する機能を有する。インバータ基板３０は、図５に示すように、シャーシ１４の長辺方向の中央部に配される駆動基板３１と、シャーシ１４の長辺方向の両端部（冷陰極管１７の両端部と重畳する部位）に配される調整基板３２とから構成されている。【００３５】
駆動基板３１は、シャーシ１４の長辺方向の中央部、かつ当該シャーシ１４の短辺方向において一方に偏った位置に配置されている。この駆動基板３１は、冷陰極管１７の駆動電力の出力を制御するために所定の周波数を発生させるように制御信号を送る制御回路３３と、この制御信号に基づいて後述する高圧出力部３５に流れる電流の向きを切り替えるために駆動電力の供給の切替えを行うスイッチング回路３４と、入力電圧より高電圧に変調された駆動電力を出力する高圧出力部３５とから構成されている。当該駆動基板３１からは、調整基板３２へ駆動電力を送電するための高圧線３６が延びており、当該高圧線３６は、絶縁部材に被覆され、かつシャーシ１４と離間した状態で、シャーシ１４の長辺縁部に沿って配されている。【００３６】
調整基板３２は、シャーシ１４の短辺方向に長手方向を同じくする矩形状とされ、図６に示すように、当該調整基板３２のうちシャーシ１４の中央部側の長辺縁部には、冷陰極管１７と同一数（つまり２０個）の磁束結合素子３７が配列されている。これら磁束結合素子３７は、各冷陰極管１７に供給される電流量のバランスを調整する機能を有する。一方、調整基板３２のうちシャーシ１４の端部側の長辺縁部には、磁束結合素子３７から延びる導電線３７ａ，３７ｂと接続されるとともに、上記駆動基板３１と冷陰極管１７との間の電気的接続を担うコネクタ４０が配列されている。なお、本実施形態では、調整基板３２には、磁束結合素子５１を利用して、複数の冷陰極管１７を流れる２次電流を直列に接続することで光源電流のバランスを確保する回路が形成されているものとしているが、例えば磁束結合素子を用いた光源電流の分流トーナメント回路や、バラスト素子配列回路等としても良い。【００３７】
コネクタ４０は、調整基板３２の長辺方向において、一つのコネクタ４０が２本の冷陰極管１７の端部と重畳する形の配列を有している。さらに、隣り合うコネクタ４０，４０は、それぞれ調整基板３２の短辺方向（シャーシ１４の長辺方向）に対して互い違いに位置をずらした形に、つまり一列に並んだ配置ではない形で配列されている。具体的には、一番目のコネクタ４０は調整基板３２の長辺縁部に配置され、これと隣り合う二番目のコネクタ４０は、調整基板３２の縁部からコネクタ４０一個分の幅を空けた形で、当該調整基板３２のより内側に配置されている。さらに、三番目のコネクタ４０は、調整基板３２の長辺縁部、すなわち一番目のコネクタ４０と同列に配置されている。逆に、直線をなす配列線（二番目、四番目、六番目・・・のコネクタ４０がなす配列線）上にある二番目のコネクタ４０に対して、この二番目のコネクタ４０と隣り合う一番目又は三番目のコネクタ４０が、その配列線上からずれて配されていることとなる。【００３８】
このような配置態様を繰り返すことにより、各コネクタ４０は、その両脇に隣り合うコネクタ４０が配置されていない空間を設けた状態で列をなして配置され、隣り合うコネクタ４０同士が、調整基板３２の長辺縁部及びその内側に交互に二つの列をなした形で整列配置されている。言い換えると、隣り合うコネクタ４０同士が、調整基板３２の長辺方向（シャーシ１４の短辺方向）にジグザグをなすようにして配置されている。【００３９】
次に、コネクタ４０の構成について、図７ないし図１０を用いて説明する。
図７はコネクタを構成する第１コネクタの上面図、図８は図７の第１コネクタの側面図、図９はコネクタを構成する第２コネクタの下面図、図１０は図９の第２コネクタの側面図である。
コネクタ４０は、調整基板３２に固定されている第１コネクタ４１と、当該第１コネクタ４１と着脱可能な第２コネクタ４２とから構成されている。第１コネクタ４１は、全体として樹脂製の略平板状とされ、図７及び図８に示すように、磁束結合素子３７から延びる導電線３７ａ，３７ｂが接続される金属製の端子４１ａ，４１ｂを有している。当該端子４１ａ，４１ｂは、二枚の金属板が導電線３７ａ，３７ｂを挟んだ状態で、第１コネクタ４１の平板状面から略垂直に立ち上がるものとされている（図８参照）。
さらに、第１コネクタ４１のうち、調整基板３２の短辺方向に指向する両側壁、すなわち列をなして取り付けられた第１コネクタ４１同士の対向する側壁には、後述する第２コネクタ４２の係止部４４が挿入される係止受部４３が設けられている。【００４０】
一方、第２コネクタ４２は、全体として樹脂製の略平板状とされ、図９及び図１０に示すように、第１コネクタ４１の端子４１ａ，４１ｂが挿着可能な形で窪んでなる金属製の受入端子４２ａ，４２ｂを備えている。すなわち、第１コネクタ４１の端子４１ａ，４１ｂが当該第２コネクタの受入端子４２ａ，４２ｂに挿着されることにより、第１コネクタ４１と第２コネクタ４２とは通電可能な状態となる。【００４１】
さらに、第２コネクタ４２のうち、調整基板３２の短辺方向に指向する両側壁には、第１コネクタ４１に設けられた係止受部４３に挿入される係止部４４が設けられている。係止部４４は、第２コネクタ４２の上面に沿って延出して当該第２コネクタ４２の下面に向けて屈曲してなる平板状の支持部４５と、当該支持部４５の先端に片持ち状に形成された摘み部４６とからなり、支持部４５と摘み部４６との間には第２コネクタ４２の上面方向に開口する溝部４７が形成されている。第２コネクタ４２のうち支持部４５の下端部に対応する部位には略三角形状の突起部４８が形成されており、当該突起部４８と支持部４５との間には開口部４９が形成されている。当該係止部４４は樹脂製とされ、弾性変形可能なものとされている。【００４２】
第１コネクタ４１に第２コネクタ４２を取り付ける作業は、以下のようにして行なわれる。まず、第２コネクタ４２の両係止部４４を指で挟むように把持して、調整基板３２に固定された第１コネクタ４１の上面（図７参照）と、当該第２コネクタ４２の下面（図９参照）とが対向する形で保持する。ここで、係止部４４に把持力を加えることにより、以下のような弾性変形が生じる。すなわち、摘み部４６に把持力を加えることで溝部４７を塞ぐような変形が生じ、この変形に伴い支持部４５が第２コネクタ４２の側壁から遠ざかる方向へ変形し、開口部４９の幅が大きくなる。この状態で、第２コネクタ４２を、第１コネクタ４１の上面に略垂直な方向、すなわちインバータ基板３０の基板面に略垂直な方向から当該第１コネクタ４１に近づけていき、第２コネクタ４２の係止部４４を第１コネクタ４１の係止受部４３に挿入する。そして、第２コネクタ４２を把持していた指を離すと、係止部４４の弾性回復が生じて開口部４９の幅が小さくなり、第２コネクタ４２の第１コネクタ４１からの脱落が抑止されるようになり、第１コネクタ４１と第２コネクタ４２との取付作業が完了する。【００４３】
上記した第２コネクタ４２のうち、インバータ基板３０の外縁部側の側面からは、受入端子４２ａ，４２ｂと接続されたハーネス５０が２本延出している。ハーネス５０の延出端は中継コネクタ１９内においてそれぞれ別個の冷陰極管１７の端部に備わる端子と接続されており、１個のコネクタ４０は２本の冷陰極管１７と接続される形とされている。ハーネス５０は送電線としての機能を有しており、駆動基板３１から出力された駆動電力は、高圧線３６、磁束結合素子３７、コネクタ４０、ハーネス５０を通じて冷陰極管１７に供給されている。このハーネス５０は、第２コネクタ４２と中継コネクタ１９との間で、当該ハーネス５０自身が環状をなす形で丸められた環状部５１（５１ａ，５１ｂ）を有している（図１１及び図１２参照）。【００４４】
以上のような構成を備えた本実施形態のテレビ受信装置ＴＶ、液晶表示装置１０、バックライト装置１２は、以下のような作用効果を奏する。
本発明に係るバックライト装置１２に備わるインバータ基板３０には、当該インバータ基板３０と冷陰極管１７との電気的接続状態を形成するための複数のコネクタ４０が取り付けられており、複数のコネクタ４０は、隣り合う当該コネクタ４０がインバータ基板３０の縁部と当該縁部よりも内側の部位とに互い違いに配列されている。
このように、隣り合うコネクタ４０を互い違いの位置に配列することにより、これらコネクタ４０を一列に配した場合に比して、当該隣り合うコネクタ４０同士の間隔を大きくすることができ、高い作業性及び安全性を確保することが可能となる。【００４５】
当該バックライト装置１２において、冷陰極管１７は、その軸線方向がシャーシ１４の長辺方向に沿った形で当該シャーシ１４の内面側に複数並列されており、これら冷陰極管１７の端部はシャーシ１４の長辺方向の端部と重畳する位置まで及ぶ。これら冷陰極管１７の端部は中継コネクタ１９に接続され、当該中継コネクタ１９からはハーネス５０が延出し、当該ハーネス５０はシャーシ１４の裏面側まで延びるものとされている。一方、シャーシ１４の裏面側には、その長辺方向の端部に、矩形状の調整基板３２が取り付けられ、当該調整基板３２のうち、冷陰極管１７の端部と重畳する位置にコネクタ４０が取り付けられ、ハーネス５０の延出端が接続されている。より詳細には、コネクタ４０は、２本の冷陰極管１７の端部と重畳する位置に１つのコネクタ４０が配される態様とされ、さらに、隣り合うコネクタ４０同士が、調整基板３２の長辺縁部及びその内側に交互に二つの列をなした形で整列配置されている。すなわち、コネクタ４０は、その調整基板３２の長辺方向（シャーシ１４の短辺方向）における配置位置が、冷陰極管１７の配列位置により決定されることとなる。【００４６】
ここで、本実施形態ではシャーシ１４の深さが８．０ｍｍとされており、このように薄型化されたバックライト装置１２においては、照明光における冷陰極管１７の配置イメージの発生を抑止するために、冷陰極管１７を多数本配置することが望ましい。そのため、冷陰極管１７は、隣り合う当該冷陰極管１７が１６．４ｍｍという狭い間隔で並列配置されており、このように隣り合う冷陰極管１７の間隔が１０ｍｍ〜２４ｍｍ、さらには１０ｍｍ〜１７ｍｍという非常に狭いものとされるバックライト装置１２においては、調整基板３２の限られた範囲（当該調整基板３２の長辺方向の長さ相当）に配置されるコネクタ４０同士の間隔も狭いものとなる。このように、隣り合うコネクタ４０の間の距離が小さいものとなると、コネクタ４０を取り付ける作業において、隣り合うコネクタ４０同士が干渉することとなり当該作業が困難となるとともに、取り付けられたコネクタ４０間で放電が生じてしまうおそれもある。
しかしながら、本発明のように、隣り合うコネクタ４０を互い違いの位置に配列することにより、各コネクタ４０の両脇には、隣のコネクタ４０が配置されていない空間が設けられることとなり、これらコネクタ４０同士の間隔を比較的大きいものとすることができる。その結果、コネクタ４０の取付作業を容易にすることができるとともに、コネクタ４０間の放電を抑止することができ、高い作業性及び安全性を確保することが可能となる。【００４７】
また、本実施形態では、コネクタ４０は、インバータ基板３０に予め取り付けられた第１コネクタ４１と、この第１コネクタ４１に対して、インバータ基板３０の基板面と略垂直な方向に着脱可能な第２コネクタ４２とからなるものとされている。【００４８】
このようなコネクタ４０においては、第１コネクタ４１と第２コネクタ４２とを取り付ける際には、第２コネクタ４２を把持して、第１コネクタ４１に対してインバータ基板３０の基板面と略垂直な方向から近づけていき取付作業を行うこととなる。特に本実施形態では、第２コネクタ４２の側壁に弾性変形を伴って第１コネクタ４１との係止を可能とする係止部４４を備えているため、当該係止部４４を指で挟む形で把持して取付作業を行う必要がある。この場合、隣り合うコネクタ４０の距離が小さいと、第２コネクタ４２を近づけていく際に、先に取り付けた隣のコネクタ４０と、第２コネクタ４２又はそれを把持する指とが干渉して取付作業を阻害することとなる。
しかしながら、本発明のように、隣り合うコネクタ４０をインバータ基板３０に互い違いに配置する構成とすることで、コネクタ４０同士の距離を相対的に大きくすることができ、第１コネクタ４１と第２コネクタ４２との着脱を行う場合にも、隣のコネクタ４０が干渉することなく、容易に作業を行うことが可能となる。【００４９】
また、本実施形態では、コネクタ４０のうち第２コネクタ４２からハーネス５０が延出しており、当該ハーネス５０は、それ自身が環状をなす形で丸められた環状部５１を有し、当該環状部５１の大きさが変化可能なものとされている。
このような構成によれば、隣り合うコネクタ４０を互い違いの位置に配置することにより、冷陰極管１７とコネクタ４０との間の距離が異なる部位が存在する場合にも、環状部５１の大きさを変化させることによりハーネスの見掛け長さを調節して対応することが可能となる。当該環状部５１の作用効果について、図１１及び図１２を用いて以下に説明する。【００５０】
調整基板３２の長辺方向に沿って２列に配列されたコネクタ４０のうち、当該調整基板３２の長辺縁部側に配置されたコネクタ４０ａにおいては、図１１に示すように、冷陰極管１７の端部とコネクタ４０ａとの間の距離が相対的に小さいものとなる。この場合、ハーネス５０は、相対的に直径の大きい環状部５１ａを形成することにより、見掛け長さを小さくすることができ、これにより撓みなく冷陰極管１７とコネクタ４０ａとを接続することが可能となる。【００５１】
一方、調整基板３２の長辺縁部からより内側に配置されたコネクタ４０ｂにおいては、図１２に示すように、冷陰極管１７の端部とコネクタ４０ｂとの間の距離が相対的に大きいものとなる。この場合、ハーネス５０は、相対的に直径の小さい環状部５１ｂを形成することにより、見掛け長さを大きくすることができ、相対的に距離の大きい冷陰極管１７とコネクタ４０ｂとを接続することが可能となる。【００５２】
このように、冷陰極管１７とコネクタ４０との間の距離が異なる部位が存在する場合にも、その異なる距離ごとにハーネスを準備する必要がなく、一種のハーネス５０の見掛け長さを調節することでそれぞれの距離に対応することができる。その結果、ハーネス５０のコストを削減することができ、ひいては当該バックライト装置１２のコスト削減に寄与することとなる。【００５３】
＜実施形態２＞
次に、本発明の実施形態２を図１３ないし図１６によって説明する。この実施形態２では、インバータ基板の構成を変更したものを示し、その他は前記実施形態と同様である。前記実施形態と同一部分には、同一符号を付して重複する説明を省略する。
図１３は本実施形態に係るインバータ基板の構成を示す平面図、図１４は図１３のインバータ基板のうち第１基板の構成を示す平面図、図１５は図１３のインバータ基板のうち第２基板の構成を示す平面図である。【００５４】
インバータ基板６０は、図１３に示すように、矩形状の第１基板６１と、当該第１基板６１に比して細長い矩形状をなす第２基板６２とから構成され、第１基板６１及び第２基板６２が僅かな隙間を空けて隣り合う形で、シャーシ１４の長辺方向の両端部（冷陰極管１７の両端部と重畳する部位）に配されている。なお本実施形態では、シャーシ１４の長辺方向のそれぞれの端部に配された第１基板６１及び第２基板６２同士が、シャーシ１４の対角線上、すなわちシャーシ１４の異なる長辺側にそれぞれ配置されている。【００５５】
第１基板６１は、その長手方向をシャーシ１４の長辺方向と同じくした形で配置されており、図１４に示すように、当該第１基板６１のうちシャーシ１４の中央部側には、冷陰極管１７の駆動電力の出力を制御する制御回路３３と、駆動電力の供給の切替えを行うスイッチング回路３４と、駆動電力を出力する高圧出力部３５とからなる駆動回路６３が形成されている。さらに、当該第１基板６１のうち駆動回路６３よりもシャーシ１４の端部側には、各冷陰極管１７に供給される電流量のバランスを調整する８個の磁束結合素子３７と、駆動回路６３と冷陰極管１７との間の電気的接続を担う４個のコネクタ４０とからなる調整回路６４ａが形成されている。
すなわち、第１基板６１には、駆動回路６３と調整回路６４ａとが隣り合って形成されており、駆動回路６３から調整回路６４ａへの駆動電力の送電は、当該第１基板６１上のパターンを通じて行われる。【００５６】
一方、第２基板６２は、その長手方向をシャーシ１４の短辺方向と同じくした形で配置され、当該第２基板６２上には調整回路６４ｂが形成されている。具体的には、図１５に示すように、第２基板６２のうちシャーシ１４の中央部側の長辺縁部には、第１基板６１に配置されたものと同一の磁束結合素子３７が１２個配列されている。また、第２基板６２のうちシャーシ１４の端部側の長辺縁部には、第１基板６１に配置されたものと同一のコネクタ４０が６個配列されている。
このように、磁束結合素子３７とコネクタ４０とからなる調整回路６４は、第１基板６１上の調整回路６４ａと第２基板６２上の調整回路６４ｂとに二分されて形成されている。【００５７】
第１基板６１上の駆動回路６３から出力された駆動電力は、当該第１基板６１と第２基板６２とを接続する高圧線６５により、第２基板６２の調整回路６４ｂに送電される。ここで、第１基板６１と第２基板６２とは、僅かな隙間を空けた状態で隣り合って配置されているため、駆動回路６３と調整回路６４ｂとを接続する高圧線６５の長さは極短いものとされている。【００５８】
また、シャーシ１４の長辺方向のそれぞれの端部に配置された２つの第１基板６１に形成された駆動回路６３同士は、同期信号線６６により接続されている。同期信号線６６は、それぞれの駆動回路６３，６３における電力供給を同期するための信号、具体的には供給電力量や供給タイミングを同期するための信号を送信するものであり、シャーシ１４に接触した状態で当該シャーシ１４の両端部に亘って引き廻されて配線されている。冷陰極管１７のそれぞれの端部に駆動電力を供給する２つの駆動回路６３同士が、かかる同期信号線６６で接続されていることにより、冷陰極管１７の両端部に所定の規則性をもって駆動電力を供給することが可能となっている。【００５９】
以上のような構成を備えた本実施形態のバックライト装置１２は、以下のような作用効果を奏する。
本実施形態に係るバックライト装置１２に備わるインバータ基板６０は、コネクタ４０が取り付けられ各冷陰極管１７間の電流バランスを調整する調整回路６４と、調整回路６４を通じて冷陰極管１７に駆動電力を供給する駆動回路６３とを含んでなり、第１基板６１と、この第１基板６１との間に僅かな隙間を空けて配される第２基板６２とに分割した構成とされている。そして、調整回路６４は、第１基板６１上の調整回路６４ａと第２基板６２上の調整回路６４ｂとに二分して形成され、調整回路６４ａが形成された第１基板６１には、さらに駆動回路６３が形成されてなる。【００６０】
このような構成によれば、調整回路６４ａと駆動回路６３とがともに第１基板６１に設けられているため、両回路６４ａ，６３間の送電を基板上のパターンを通じて行うことができ、従来両回路６４ａ，６３を接続していた高圧線を省略することが可能となる。さらに、第１基板６１及び第２基板６２は隣接するものとされているため、第１基板６１上の駆動回路６３と第２基板上６２上の調整回路６４ｂとを接続する高圧線６５も最小限の長さに留めることができる。これにより、高い安全性が確保されるとともに、当該バックライト装置１２を薄型化することで構成部材が比較的密集した状態にされる場合にも、高圧線６５の周囲に設けるべき空間を小さくすることができるため、各構成部材の配置を高い自由度で設計することが可能となる。【００６１】
また、調整回路６４は、複数の冷陰極管１７間の電流バランスを調整する機能を有するものであり、冷陰極管１７の異なる配置パターン（例えば配置数）に対しては、それぞれに対応したパターンに形成された調整回路が必要とされる。本実施形態では、第１基板６１に磁束結合素子３７が８個とコネクタ４０が４個配置され、第２基板６２に磁束結合素子３７が１２個とコネクタ４０が６個配置されている。これらで形成される調整回路６４は、２０個の磁束結合素子３７と１０個のコネクタ４０を備えることとなり、当該調整回路６４により２０本の冷陰極管１７に対応するものとされている。【００６２】
ここで、より大型のバックライト装置１２に対してより多数本（例えば２４本）の冷陰極管１７を配列する構成とする場合には、２４個の磁束結合素子３７と１２個のコネクタ４０を備える調整回路７０を形成する必要がある。ここで、本発明の構成によれば、調整回路６４は第１基板６１と第２基板６２とに二分して形成されてなるため、上記のように配列する冷陰極管１７の本数が変化した場合には、第２基板６２のみを異なるパターンの回路が形成された基板６２ａに取り替えることで対応することができる。より具体的には、図１６に示すように、１６個の磁束結合素子３７と８個のコネクタ４０とが取り付けられた基板６２ａを準備し、当該基板６２ａを第２基板６２と取り替えることで、２４本の冷陰極管１７に対応する調整回路７０を形成することが可能となる。したがって、調整回路６４ａ及び駆動回路６３が形成された第１基板６１は、当該バックライト装置１２の大きさに拘らず使い回すことができ、コスト削減に寄与することが可能となる。【００６３】
＜他の実施形態＞
以上、本発明の実施形態について示したが、本発明は上記記述及び図面によって説明した実施形態に限定されるものではなく、例えば次のような実施形態も本発明の技術的範囲に含まれる。【００６４】
（１）上記した実施形態２では、調整回路６４を第１基板６１と第２基板６２とに二分して形成するものとしたが、調整回路の分割態様はこれに限らない。例えば第３基板を用意して調整回路を三分する等、調整回路が少なくとも異なる二つ以上の基板に分割されてなる構成とすれば良い。【００６５】
（２）上記した実施形態２では、シャーシ１４の長辺方向のそれぞれの端部に配された第１基板６１及び第２基板６２同士がシャーシ１４の対角線上に配置されるものとしたが、図１７に示すように、シャーシ１４の一方の長辺側に第１基板６１ｂ同士が配置され、他方の長辺側に第２基板６２ｂ同士が配置される構成としても良い。この場合、二つの第１基板６１ｂ，６１ｂを接続する同期信号線６６ｂは、シャーシ１４の長辺縁部を引き廻して配線することが好適である。
ただし、実施形態２のように第１基板６１及び第２基板６２同士をシャーシ１４の対角線上、すなわち点対称となる形で配置するものとすれば、第２基板６２はもちろん、第１基板６１も１種類の回路パターンのものをシャーシ１４の両端部において使いまわすことが可能となる。【００６６】
（３）上記した各実施形態では、調整回路が形成された基板をシャーシ１４の長辺方向の両端部に配置する構成としたが、当該基板はシャーシ１４の長辺方向の一方の端部にのみ配置するものとしても良い。この場合、冷陰極管１７への駆動電力の供給は、当該冷陰極管１７の一方の端部から行われる構成とすることが好適である。【００６７】
（４）上記した各実施形態では、コネクタ４０は、調整基板の長辺縁部及びその内側に１つずつ交互に配置されて２列をなすものとしたが、本質的にはコネクタ４０が直線をなす配列線上に一列に配置されていなければよく、図１８及び図１９に示すように、２つずつ交互に配置されて２列をなすコネクタ４０ｄの配置態様も本発明に含まれる。具体的には、一番面のコネクタ４０ｄとこれと隣り合う二番目のコネクタ４０ｄとが調整基板の長辺縁部に配置され、二番目のコネクタ４０ｄと隣り合う三番目のコネクタ４０ｄとこれと隣り合う四番目のコネクタ４０ｄとが調整基板の長辺縁部より内側に配置されている。これを繰り返すことにより、調整基板４０ｄは、２つずつ交互に配置されて２列をなすこととなる。
また、図２０及び図２１に示すように、２つのコネクタ４０ｅと１つのコネクタ４０ｅとが交互に配置されて２列をなすものとしても良い。具体的には、一番目のコネクタ４０ｅと二番目のコネクタ４０ｅとが調整基板の長辺縁部に配置され、二番目のコネクタ４０ｅと隣り合う三番目のコネクタ４０ｅが調整基板の長辺縁部より内側に配置されている。これを繰り返すことにより、コネクタ４０ｅは、隣り合う２つのが同列に配置されたのち、これらと隣り合うものが他の列に配置されて２列をなすこととなる。【００６８】
（５）上記した各実施形態では、光源として冷陰極管１７を使用した場合を示したが、例えば熱陰極管など他の種類の光源を用いたものも本発明に含まれる。
【図１】
2009093362.tif 000003
【図２】
2009093362.tif 000004
【図３】
2009093362.tif 000005
【図４】
2009093362.tif 000006
【図５】
2009093362.tif 000007
【図６】
2009093362.tif 000008
【図７】
2009093362.tif 000009
【図８】
2009093362.tif 000010
【図９】
2009093362.tif 000011
【図１０】
2009093362.tif 000012
【図１１】
2009093362.tif 000013
【図１２】
2009093362.tif 000014
【図１３】
2009093362.tif 000015
【図１４】
2009093362.tif 000016
【図１５】
2009093362.tif 000017
【図１６】
2009093362.tif 000018
【図１７】
2009093362.tif 000019
【図１８】
2009093362.tif 000020
【図１９】
2009093362.tif 000021
【図２０】
2009093362.tif 000022
【図２１】
2009093362.tif 000023
【国際調査報告】
2009093362.tif 000024
2009093362.tif 000025